(57)【要約】【課題】加熱調理器のバーナ使用個数や方位、調理過程に応じて自動的に最適な排気風量で運転することを目的とする。【解決手段】加熱調理機器２のバーナに対向する面に８個の素子をアレイ状に配列した焦電型赤外線センサ３と、焦電型赤外線センサ３に対して，赤外線を集光させるシリコンレンズ４と、赤外線を断続的に遮断するシャッター機構６と、シャッター機構６の駆動と焦電型赤外線センサ３とシリコンレンズ４を回転走査する直流モータ５と、シャッター機構６周辺の温度を検知するサーミスタ７と、焦電型赤外線センサ３及びサーミスタ７からの信号を増幅、および温度を演算する信号処理手段８と、信号処理した温度分布から加熱調理機器２の状態を判断する調理機器状態判断手段９と、加熱調理機器２の状態判断結果に応じてレンジフードファン１のモータ１０を駆動、停止、あるいは回転数を変更させる制御手段１１を備える構成とする。【選択図】図１
2009092338.tif 000002
【特許請求の範囲】
【請求項１】
加熱調理器の上方に設置され、モータにより駆動される排気ファンを備えたレンジフードファンにおいて、前記レンジフードファンの下部の加熱調理器に対向する面に設置され、前記加熱調理器の複数のバーナの温度、あるいはバーナの上部に設置した調理器具の温度と位置を計測する複数の素子をアレイ状に複数個配列した熱起電力型温度センサと、前記熱起電力型温度センサに対象物から放射する赤外線を集光させる集光手段と、前記熱起電力型温度センサへの赤外線を断続的に入射させる遮断手段と、前記遮断手段周辺の温度を検知する基準温度検知手段と、少なくとも前記熱起電力型温度センサと前記集光手段と前記遮断手段を回転走査する駆動機構手段と、前記熱起電力型温度センサ及び前記基準温度検知手段からの信号を増幅および温度あるいは温度に比例した計測値を演算する信号処理手段と、前記信号処理手段により演算した信号処理結果、すなわち検知領域内の温度分布あるいは温度に比例した計測値分布から調理機器の状態を判断する調理機器状態判断手段と、前記調理機器の状態判断結果に応じて前記レンジフードファンのモータを駆動、停止あるいは回転数を変更させる制御手段を備えたことを特徴としたレンジフードファン。
【請求項２】
調理機器状態判断手段は、温度分布あるいは温度に比例した計測値分布から各熱起電力型温度センサの各回転方位における個別の閾値により判断することを特徴とした請求項１記載のレンジフードファン。
【請求項３】
調理機器状態判断手段は、温度分布あるいは温度に比例した計測値分布に対して、各回転方位における各熱起電力型温度センサの検知面積領域と隣接する回転方位および隣接する前記各熱起電力型温度センサからの温度あるいは温度に比例した計測値からバーナあるいは調理器具の熱画像におけるエッジを検出して、制御手段に出力することを特徴とした請求項１記載のレンジフードファン。
【請求項４】
調理機器状態判断手段は、温度分布あるいは温度に比例した計測値分布に対して、空間フィルタ処理を行ない、バーナあるいは調理器具の熱源位置あるいは方位を特定し、前記熱源位置あるいは方位に応じてモータ駆動部を介してモータを駆動、停止あるいは回転数を変更させる第二制御手段を備えたことを特徴とした請求項１記載のレンジフードファン。
【請求項５】
調理機器状態判断手段は、温度分布あるいは温度に比例した計測値分布に対して、各回転方位における各熱起電力型温度センサの検知面積領域と隣接する回転方位および隣接する前記各熱起電力型温度センサからの温度あるいは温度に比例した計測値により、調理の進行状況を推定してモータを駆動、停止あるいは回転数を変更する閾値を更新する閾値更新手段を備えたことを特徴とする請求項１記載のレンジフードファン。
【請求項６】
駆動機構手段における非回転方向の取付角度を任意に変更できる取付角度調整手段を備えたことを特徴とする請求項１記載のレンジフードファン。
【請求項７】
取付角度調整手段は、取付角度の調整に応じてモータを駆動、停止あるいは回転数を変更させる閾値を変更することを特徴とする請求項６記載のレンジフードファン。
【請求項８】
加熱調理器のバーナまでの距離を設定する距離設定手段を備えたことを特徴とする請求項１記載のレンジフードファン。
【請求項９】
駆動機構手段による回転走査の周期は、調理の進行状況を検出することができる所定時間以内であることを特徴とする請求項１〜８何れかに記載のレンジフードファン。
【請求項１０】
駆動機構手段による回転走査の速度は、回転走査することができる最大角度と熱起電力型温度センサの時定数により決定した所定周期であることを特徴とする請求項１〜９何れかに記載のレンジフードファン。
【発明の詳細な説明】
【技術分野】
【０００１】
本発明は、台所の加熱調理器の上方に取り付けられるレンジフードファンの自動運転に関わるものである。
【背景技術】
【０００２】
従来、この種のレンジフードファンはガスコンロやＩＨヒーターなどの加熱調理器の上方に設置し、使用者が加熱調理器のバーナやヒータ（以下バーナで説明）を点火して調理を行う時に、レンジフードファンの運転スイッチをオンして、レンジフードファンを運転させ、調理によって発生する熱気や水蒸気や臭い及び油煙などを屋外に排出するもので、調理終了でバーナをオフにし、しばらくしてレンジフードの運転スイッチをオフする使い方が通常である。ここで、利便性を高めるためにレンジフードファンの自動運転について特許文献１〜４に示すような加熱調理器側に温度センサを設けて自動検知し、有線あるいは無線にて換気風量を可変するものや焦電型熱検知素子を回転させて熱画像を検知して換気風量を可変するものが提案されている。以下、その詳細について、個別に説明する。
【０００３】
特許文献１に示す換気扇について、図１６を参照しながら説明する。図に示すように、換気扇１７と、換気扇１７の回転数の高低を制御する制御手段１８と、加熱調理器１９に設けられた鍋等の加熱対象の温度を計測する温度計測装置２０を有し。制御手段１８は温度計測装置２０が計測した計測温度に基づいて換気扇１７の回転数を制御し、計測温度が高いときは換気扇１７の回転数を高く制御し、計測温度が低い時には換気扇１７の回転数を低く制御するように構成している。
【０００４】
次に特許文献２に示す換気装置と電磁誘導加熱調理器の連動方法について、図１７を参照しながら説明する。図に示すように、電磁誘導加熱回路と、電流検出回路２１と、電流検出回路２１により検出された電流値が所定電流値となるよう電磁誘導加熱回路への通電制御を行うと共に、検出電流値に応じたファン回転動作の指令信号を生成する調理器制御回路２２と、調理器制御回路にて生成されたファン回転動作の指令信号を送信する赤外線方式または無線方式の送信機２３とを備えた誘導加熱調理器２４と、換気ファン２５と、前記指令信号を受信する赤外線方式または無線方式の受信機２６と、赤外線受信機または無線受信機にて受信した指令信号に基づいて換気ファン２５の動作開始、回転数の増減、動作停止の制御を行う換気扇制御回路２７を備えた換気扇２８によるシステムを構成している。
【０００５】
特許文献３に示すレンジフードについて、図１８を参照しながら説明する。図に示すように、ガスコンロ２９の使用状況を検出するセンサ３０ａ、３０ｂ、３０ｃを基に、最適の換気風量を制御回路３１で演算してレンジフード３２内の換気扇３３のモータ３４の回転数を自動制御するように構成されている。
【０００６】
特許文献４に示す換気扇について、図１９を参照しながら説明する。図に示すように、ガステーブル３５の近傍に設けられる換気扇３６は、風量の切換えが可能であり、ガステーブル３５のコンロ３７ａ、３７ｂには、過熱防止用などの温度センサ３８ａ、３８ｂが設けられている。ガステーブル３５には、さらにグリル３９が設けられ、その温度は温度センサ４０によって検出される。温度センサ３８ａ、３８ｂ、及びグリル３９の温度を検出する温度センサ４０の検出温度を表す信号は、信号ケーブル４１から換気扇３６のマイコン４２に入力され、マイコン４２は温度センサ３８ａ、３８ｂ、および温度センサ４０が検出する温度が基準温度よりも低いときには風量を少なくし、基準温度よりも高いときには風量を多くするように、風量制御切換装置４３によりモータ４４を制御することで、風量の切換えを行なうように構成している。
【特許文献１】特開２００７−１７０７３１号公報
【特許文献２】特開２００５−１６６５０７号公報
【特許文献３】特開２００２−６１９０８号公報
【特許文献４】特開平１１−２９４８１０号公報
【発明の開示】
【発明が解決しようとする課題】
【０００７】
このようなレンジフードファンの連動方式では、ガスコンロやＩＨクッキングヒータ等の加熱調理器のバーナ利用個数や方位を正確に特定できず、また調理過程を検知していないため、バーナ利用個数や方位に見合った排気風量での駆動条件を設定できないことや、調理過程が不明なため調理臭や煙の効率的かつ効果的な換気ができない可能性があった。
【０００８】
また、加熱調理器とレンジフードファンとの間で通信を行い、加熱調理器の利用状況を把握する方法では、ＩＨクッキングヒータからの雑音成分や、併設される電源線ケーブルからの輻射雑音により誤動作する可能性があるという課題があった。
【０００９】
本発明は、このような従来の課題を解決するものであり、レンジフードファン内部に加熱調理器の状況を検出するセンサを備えて輻射雑音による誤動作を防止しつつ、加熱調理器のバーナ利用個数、調理過程を的確に把握し、最適な換気風量に制御することができるレンジフードファンを提供することを目的としている。
【課題を解決するための手段】
【００１０】
本発明のレンジフードファンは上記目的を達成するために、加熱調理器の上方に設置され、モータにより駆動される排気ファンを備えたレンジフードファンにおいて、前記レンジフードファンの下部の加熱調理器に対向する面に設置され、前記加熱調理器の複数のバーナの温度、あるいはバーナの上部に設置した調理器具の温度と位置を計測する複数の素子をアレイ状に複数個配列した熱起電力型温度センサと、前記熱起電力型温度センサに対象物から放射する赤外線を集光させる集光手段と、前記熱起電力型温度センサへの赤外線を断続的に入射させる遮断手段と、前記遮断手段周辺の温度を検知する基準温度検知手段と、少なくとも前記熱起電力型温度センサと前記集光手段と前記遮断手段を回転走査する駆動機構手段と、前記熱起電力型温度センサ及び前記基準温度検知手段からの信号を増幅および温度あるいは温度に比例した計測値を演算する信号処理手段と、前記信号処理手段により演算した信号処理結果、すなわち検知領域内の温度分布あるいは温度に比例した計測値分布から調理機器の状態を判断する調理機器状態判断手段と、前記調理機器の状態判断結果に応じて前記レンジフードファンのモータを駆動、停止あるいは回転数を変更させる制御手段を備える構成としたものである。
【００１１】
この手段により、バーナの利用数、調理機器の状態を的確に検出でき、調理機器の状態に応じた最適な換気制御を行うことができるレンジフードファンを提供できる。
【００１２】
また、調理機器状態判断手段は、温度分布あるいは温度に比例した計測値分布から各熱起電力型温度センサの各回転方位における個別の閾値により判断するような構成としたものである。
【００１３】
この手段により、各回転方位により各熱起電力型温度センサの検知領域の面積による検知誤差を補正することができ、調理機器の状態をより正確に検出することができるレンジフードファンを提供できる。
【００１４】
さらに、調理機器状態判断手段は、温度分布あるいは温度に比例した計測値分布に対して、各回転方位における各熱起電力型温度センサの検知面積領域と隣接する回転方位および隣接する前記各熱起電力型温度センサからの温度あるいは温度に比例した計測値からバーナあるいは調理器具の熱画像におけるエッジを検出して、制御手段に出力するような構成としたものである。
【００１５】
この手段により、調理機器の正確な位置が特定できるため、より効果的な換気制御を行うことができるレンジフードファンを提供できる。
【００１６】
また、調理機器状態判断手段は、温度分布あるいは温度に比例した計測値分布に対して、空間フィルタ処理を行ない、バーナあるいは調理器具の熱源位置あるいは方位を特定し、前記熱源位置あるいは方位に応じてモータ駆動部を介してモータを駆動、停止あるいは回転数を変更させる第二制御手段を備える構成としたものである。
【００１７】
この手段により、３口コンロ、４口コンロ、グリルの有無、設置位置のズレなども検知可能となり、ガスコンロとの相対位置関係をより正確に判断することができるため、より効果的な運転制御を可能とすることができるレンジフードファンを提供できる。
【００１８】
さらに、調理機器状態判断手段は、温度分布あるいは温度に比例した計測値分布に対して、各回転方位における各熱起電力型温度センサの検知面積領域と隣接する回転方位および隣接する前記各熱起電力型温度センサからの温度あるいは温度に比例した時系列の計測値により、調理の進行状況を推定してモータを駆動、停止あるいは回転数を変更する閾値を更新する閾値更新手段を備える構成としたものである。
【００１９】
この手段により、調理過程に応じて最適な始動条件を設定することができ、換気が必要となる時間を推定できることから、より快適性の向上を図ることができるレンジフードファンを提供できる。
【００２０】
また、駆動機構手段における非回転方向の取付角度を任意に変更できる取付角度調整手段を備える構成としたものである。
【００２１】
この手段により、レンジフードファンの設置の際に厳密な設置角度設定が不要となり、また、調理機器との相対位置関係の補正を容易に行なうことができるレンジフードファンを提供できる。
【００２２】
さらに、取付角度調整手段は、取付角度の調整に応じてモータを駆動、停止あるいは回転数を変更させる閾値を変更するような構成としたものである。
【００２３】
この手段により、調理機器との相対位置関係に最適な閾値とすることで、任意の取付角度に応じた換気制御を可能とすることができるレンジフードファンを提供できる。
【００２４】
また、加熱調理器のバーナまでの距離を設定する距離設定手段を備えるような構成としたものである。
【００２５】
この手段により、バーナ上に置かれた調理器具の大きさの予測精度の向上を可能とし、よりきめ細かな換気制御を可能とすることができるレンジフードファンを提供できる。
【００２６】
さらに、駆動機構手段による回転走査の周期は、調理の進行状況を検出することができる所定時間以内とするような構成としたものである。
【００２７】
この手段により、調理器具の操作（例えば鍋振り行為など）の時であっても、温度検出を的確に行なうことができ、より迅速に換気制御を行うことができるレンジフードファンを提供できる。
【００２８】
また、駆動機構手段による回転走査の速度は、回転走査することができる最大角度と熱起電力型温度センサの時定数により決定した所定周期とするような構成としたものである。
【００２９】
この手段により、調理器具の操作（例えば鍋振り行為など）を検出することができる速度で、かつセンサの不要検出、あるいは不動作回避を両立することができるレンジフードファンを提供できる。
【発明の効果】
【００３０】
本発明によれば、加熱調理器の上方に設置され、モータにより駆動される排気ファンを備えたレンジフードファンにおいて、前記レンジフードファンの下部の加熱調理器に対向する面に設置され、前記加熱調理器の複数のバーナの温度、あるいはバーナの上部に設置した調理器具の温度と位置を計測する複数の素子をアレイ状に複数個配列した熱起電力型温度センサと、前記熱起電力型温度センサに対象物から放射する赤外線を集光させる集光手段と、前記熱起電力型温度センサへの赤外線を断続的に入射させる遮断手段と、前記遮断手段周辺の温度を検知する基準温度検知手段と、少なくとも前記熱起電力型温度センサと前記集光手段と前記遮断手段を回転走査する駆動機構手段と、前記熱起電力型温度センサ及び前記基準温度検知手段からの信号を増幅および温度あるいは温度に比例した計測値を演算する信号処理手段と、前記信号処理手段により演算した信号処理結果、すなわち検知領域内の温度分布あるいは温度に比例した計測値分布から調理機器の状態を判断する調理機器状態判断手段と、前記調理機器の状態判断結果に応じて前記レンジフードファンのモータを駆動、停止あるいは回転数を変更させる制御手段を備える構成とすることで、バーナの利用数、調理機器の状態を的確に検出でき、調理機器の状態に応じた最適な換気制御を行うことができるという効果のあるレンジフードファンを提供できる。
【００３１】
また、調理機器状態判断手段は、温度分布あるいは温度に比例した計測値分布から各熱起電力型温度センサの各回転方位における個別の閾値により判断するような構成とすることで、各回転方位により各熱起電力型温度センサの検知領域の面積による検知誤差を補正することができ、調理機器の状態をより正確に検出することができるという効果のあるレンジフードファンを提供できる。
【００３２】
さらに、調理機器状態判断手段は、温度分布あるいは温度に比例した計測値分布に対して、各回転方位における各熱起電力型温度センサの検知面積領域と隣接する回転方位および隣接する前記各熱起電力型温度センサからの温度あるいは温度に比例した計測値からバーナあるいは調理器具の熱画像におけるエッジを検出して、制御手段に出力するような構成とすることで、調理機器の正確な位置が特定できるため、より効果的な換気制御を行うことができるという効果のあるレンジフードファンを提供できる。
【００３３】
また、調理機器状態判断手段は、温度分布あるいは温度に比例した計測値分布に対して、空間フィルタ処理を行ない、バーナあるいは調理器具の熱源位置あるいは方位を特定し、前記熱源位置あるいは方位に応じてモータ駆動部を介してモータを駆動、停止あるいは回転数を変更させる第二制御手段を備える構成とすることで、３口コンロ、４口コンロ、グリルの有無、設置位置のズレなども検知可能となり、ガスコンロとの相対位置関係をより正確に判断することができるため、より効果的な運転制御を可能とすることができるという効果のあるレンジフードファンを提供できる。
【００３４】
さらに、調理機器状態判断手段は、温度分布あるいは温度に比例した計測値分布に対して、各回転方位における各熱起電力型温度センサの検知面積領域と隣接する回転方位および隣接する前記各熱起電力型温度センサからの温度あるいは温度に比例した時系列の計測値により、調理の進行状況を推定してモータを駆動、停止あるいは回転数を変更する閾値を更新する閾値更新手段を備える構成とすることで、調理過程に応じて最適な始動条件を設定することができ、換気が必要となる時間を推定できることから、より快適性の向上を図ることができるという効果のあるレンジフードファンを提供できる。
【００３５】
また、駆動機構手段における非回転方向の取付角度を任意に変更できる取付角度調整手段を備える構成とすることで、レンジフードファンの設置の際に厳密な設置角度設定が不要となり、また、調理機器との相対位置関係の補正を容易に行なうことができるという効果のあるレンジフードファンを提供できる。
【００３６】
さらに、取付角度調整手段は、取付角度の調整に応じてモータを駆動、停止あるいは回転数を変更させる閾値を変更するような構成とすることで、調理機器との相対位置関係に最適な閾値とすることで、任意の取付角度に応じた換気制御を可能とすることができるという効果のあるレンジフードファンを提供できる。
【００３７】
また、加熱調理器のバーナまでの距離を設定する距離設定手段を備えるような構成とすることで、バーナ上に置かれた調理器具の大きさの予測精度の向上を可能とし、よりきめ細かな換気制御を可能とすることができるという効果のあるレンジフードファンを提供できる。
【００３８】
さらに、駆動機構手段による回転走査の周期は、調理の進行状況を検出することができる所定時間以内とするような構成とすることで、調理器具の操作（例えば鍋振り行為など）の時であっても、温度検出を的確に行なうことができ、より迅速に換気制御を行うことができるという効果のあるレンジフードファンを提供できる。
【００３９】
また、駆動機構手段による回転走査の速度は、回転走査することができる最大角度と熱起電力型温度センサの時定数により決定した所定周期とするような構成とすることで、調理器具の操作（例えば鍋振り行為など）を検出することができる速度で、かつセンサの不要検出、あるいは不動作回避を両立することができるという効果のあるレンジフードファンを提供できる。
【発明を実施するための最良の形態】
【００４０】
本発明の請求項１記載の発明は、加熱調理器の上方に設置され、モータにより駆動される排気ファンを備えたレンジフードファンにおいて、前記レンジフードファンの下部の加熱調理器に対向する面に設置され、前記加熱調理器の複数のバーナの温度、あるいはバーナの上部に設置した調理器具の温度と位置を計測する複数の素子をアレイ状に複数個配列した熱起電力型温度センサと、前記熱起電力型温度センサに対象物から放射する赤外線を集光させる集光手段と、前記熱起電力型温度センサへの赤外線を断続的に入射させる遮断手段と、前記遮断手段周辺の温度を検知する基準温度検知手段と、少なくとも前記熱起電力型温度センサと前記集光手段と前記遮断手段を回転走査する駆動機構手段と、前記熱起電力型温度センサ及び前記基準温度検知手段からの信号を増幅および温度あるいは温度に比例した計測値を演算する信号処理手段と、前記信号処理手段により演算した信号処理結果、すなわち検知領域内の温度分布あるいは温度に比例した計測値分布から調理機器の状態を判断する調理機器状態判断手段と、前記調理機器の状態判断結果に応じて前記レンジフードファンのモータを駆動、停止あるいは回転数を変更させる制御手段を備える構成としたものであり、熱起電力型温度センサにより２次元の温度分布あるいは温度に比例した計測値分布を測定し、測定した分布情報から熱画像処理を行なうことで測定領域における高温領域を切り出すことにより、バーナの利用数、調理機器の状態を的確に検出でき、調理機器の状態に応じた最適な換気制御を行うことができるという作用を有する。
【００４１】
また、調理機器状態判断手段は、温度分布あるいは温度に比例した計測値分布から各熱起電力型温度センサの各回転方位における個別の閾値により判断するような構成としたものであり、検知領域は熱起電力型温度センサの視野角度と方位すなわち調理機器との直線距離により決定されるため、各回転方位により各熱起電力型温度センサの検知領域の面積による検知誤差を個別の閾値を用いるように補正することにより、調理機器の状態をより正確に検出することができるという作用を有する。
【００４２】
さらに、調理機器状態判断手段は、温度分布あるいは温度に比例した計測値分布に対して、各回転方位における各熱起電力型温度センサの検知面積領域と隣接する回転方位および隣接する前記各熱起電力型温度センサからの温度あるいは温度に比例した計測値からバーナあるいは調理器具の熱画像におけるエッジを検出して、制御手段に出力するような構成としたものであり、エッジの検出による発熱体あるいは調理に伴う発煙の可能性のある有効面積，すなわち調理器具の大きさと正確な位置が特定できるため、より効果的な換気制御を行うことができるという作用を有する。
【００４３】
また、調理機器状態判断手段は、温度分布あるいは温度に比例した計測値分布に対して、空間フィルタ処理を行ない、バーナあるいは調理器具の熱源位置あるいは方位を特定し、前記熱源位置あるいは方位に応じてモータ駆動部を介してモータを駆動、停止あるいは回転数を変更させる第二制御手段を備える構成としたものであり、空間フィルタ処理による発熱体とそれ以外の領域の分離を明確にし、３口コンロ、４口コンロ、グリルの有無、設置位置のズレなども検知可能となり、ガスコンロとの相対位置関係をより正確に判断することができるため、より効果的な運転制御を可能とすることができるという作用を有する。
【００４４】
さらに、調理機器状態判断手段は、温度分布あるいは温度に比例した計測値分布に対して、各回転方位における各熱起電力型温度センサの検知面積領域と隣接する回転方位および隣接する前記各熱起電力型温度センサからの温度あるいは温度に比例した時系列の計測値により、調理の進行状況を推定してモータを駆動、停止あるいは回転数を変更する閾値を更新する閾値更新手段を備える構成としたものであり、時間変化に応じて変化する発熱あるいは調理による発煙の状態を検知することが可能となり、調理過程に応じて最適な運転条件を設定することができ、換気が必要となる時間を推定できることから、より効率的かつ効果的な換気ができることから快適性の向上を図ることができるという作用を有する。
【００４５】
また、駆動機構手段における非回転方向の取付角度を任意に変更できる取付角度調整手段を備える構成としたものであり、レンジフードファンの設置角度に応じて熱起電力型温度センサの角度を変更することができ、設置工事の際にレンジフードファンと調理機器との相対位置関係を調整が容易に可能となり，レンジフードファンの設置の際に厳密な設置角度調整が不要となり、取付工事工数を削減することができるという作用を有する。
【００４６】
さらに、取付角度調整手段は、取付角度の調整に応じてモータを駆動、停止あるいは回転数を変更させる閾値を変更するような構成としたものであり、自動的に調理機器との相対位置関係に最適な閾値に設定されるため、設置工事の際、個別にレンジフードファンの内部パラメータの調整を不要とし、任意の取付角度に応じた換気制御を可能とすることができるという作用を有する。
【００４７】
また、加熱調理器のバーナまでの距離を設定する距離設定手段を備えるような構成としたものであり、加熱調理器と熱起電力型温度センサとの相対位置関係に起因する検出温度と検出位置の調整ができるため、バーナ上に置かれた調理器具の大きさの予測精度の向上を可能とし、よりきめ細かな換気制御を可能とすることができるという作用を有する。
【００４８】
さらに、駆動機構手段による回転走査の周期は、調理の進行状況を検出することができる所定時間以内とするような構成としたものであり、回転走査中の調理器具の移動による誤検出を防止することができるため、調理器具の操作（例えば鍋振り行為など）の時であっても、温度検出を的確に行なうことができ、より迅速に換気制御を行うことができるという作用を有する。
【００４９】
また、駆動機構手段による回転走査の速度は、回転走査することができる最大角度と熱起電力型温度センサの時定数により決定した所定周期とするような構成としたものであり、所定周期を可能な限り低速とすることができるため、時定数の大きい安価な熱起電力型温度センサであっても調理器具の操作（例えば鍋振り行為など）を検出することができるため、より安価で簡単な構成でレンジフードファンの最適な換気制御を可能とすることができるという作用を有する。
【００５０】
以下、本発明の実施の形態について図面を参照しながら説明する。
【００５１】
（実施の形態１）
図１は、本発明の実施の形態１におけるレンジフードファンの構成図である。
【００５２】
図において、レンジフードファン１の下部の加熱調理機器２のバーナＡ、Ｂ、Ｃに対向する面に８個の素子をアレイ状に配列した熱起電力型温度センサとしての焦電型赤外線センサ３と、焦電型赤外線センサ３に赤外線を集光させる集光手段としてのシリコンレンズ４と、焦電型赤外線センサ３とシリコンレンズ４を回転走査、及び断続的に赤外線を入射遮断する駆動機構手段としての直流モータ５及び遮断手段としてのシャッター機構６と、シャッター機構６周辺の温度を検知する基準温度検知手段としてのサーミスタ７と、焦電型赤外線センサ３及びサーミスタ７からの信号を増幅、および温度を演算する信号処理手段８と、信号処理した温度分布から加熱調理機器２の状態を判断する調理機器状態判断手段９と、加熱調理機器２の状態判断結果に応じてレンジフードファン１のモータ１０を駆動、停止、回転数を変更させる制御手段１１を備えている。
【００５３】
次に、シャッター機構６の駆動について、図２を参照しながら説明する。
【００５４】
図に示すように、シャッター機構６は、直流モータ５からの回転動力をギア６ａ、６ｂ、６ｃにより減速および焦電型赤外線センサ３の回転方向と対向する方向に回転する。例えば、焦電型赤外線センサ３は、ギア６ａ、６ｂ、６ｃにより正転した場合、シャッター板６ｄはギア６ａ、６ｂにより逆転する構造となっている。また、シャッター板６ｄには３つの溝を配しており、焦電型赤外線センサ３への赤外線の入射を一定周期で断続的に遮断するように構成されている。この構造により、断続的に赤外線を入射、遮断すると同時に焦電型赤外線センサ３の回転駆動を単一の駆動源で行なっている。また、回転走査することができる最大角度は１２０度としており、また、回転走査の周期としては、焦電型赤外線センサ３の時定数から周波数の上限３０Ｈｚ、調理の進行状況の検知から周波数の下限１６Ｈｚの両立を図ることが可能な周波数として２０Ｈｚとしている。
【００５５】
次に、信号処理手段８の構成ブロックについて、図３を参照しながら説明する。
【００５６】
図に示すように、信号処理手段８は、ローパスフィルタ部８ａにより焦電型赤外線センサ３のノイズ成分を含んだ微小信号のノイズを除去する。ローパスフィルタ部８ａのカットオフ周波数はシャッター機構６で断続的に入射、遮断する周波数よりも高い周波数とするように構成されている。ローパスフィルタ部８ａを通した後、焦電型赤外線センサ３の信号は、数十倍（例えば２０倍）に増幅され、さらにクランプ回路部８ｂにより出力信号を制限する。また、サーミスタ７の信号は、リファレンス抵抗８ｃとの分圧した電圧を出力するように構成している。前段で処理した焦電型赤外線センサ３とサーミスタ７の信号は、温度変換部８ｄに入力する。温度変換部８ｄは、入力したサーミスタ７の電圧信号と、予め記憶した電圧温度変換テーブルにより基準温度に変換する。電圧温度変換テーブルに関しては、公知の技術であるため、詳細な説明は省略する。さらに温度変換部８ｄは、変換した基準温度に対する焦電型赤外線センサ３の電圧信号から、焦電型赤外線センサ３の回転走査により得られた赤外線信号の分布を温度分布に変換する。焦電型赤外線センサ３の信号はフィルタリング、および増幅された起電圧信号を被写体温度と線形近似して置換する。信号処理手段８は、以上により演算した被写体（加熱調理機器２の周辺）の温度分布を出力する。
【００５７】
次に、調理機器状態判断手段９の判断フローチャートについて、図４を参照しながら説明する。
【００５８】
図に示すように、調理機器状態判断手段９は、信号処理手段８により演算した被写体の温度分布を入力する。入力した被写体の温度分布と、回転方位に見合った個別の閾値により加熱調理機器２の使用、未使用を判定する。個別の閾値の例としては、加熱調理機器２との垂直角と回転方位角との偏差角θにより数式１の補正値Ｇｋを乗じたものを使用する。
【００５９】
（数式１）  Ｇｋ＝（１−ｓｉｎθ）＾２
また、本実施例の場合、被写体の温度分布は、焦電型赤外線センサ３の素子数８個と、回転走査により得られた方位数１６個より１２８個の離散的な温度分布が得られている。このため、加熱調理機器２の使用、未使用を判定する際に、１２８個の温度分布からクラスタリングを行い、加熱調理機器２の熱画像におけるエッジを検出して加熱調理機器２の使用されているバーナ数を判定する。判定したクラスタから、最も高い温度を判定する。判定した各クラスタの最高温度から、加熱調理機器２の状態判断温度との比較を行なう。例えば、３段階の温度閾値（例えば４０℃、６０℃、８０℃）との比較を行なう。クラスタの数と比較判定した結果を制御手段１１へ出力する。
【００６０】
次に、制御手段１１の制御フローチャートについて、図５を参照しながら説明する。
【００６１】
図に示すように、制御手段１１は、クラスタ数と比較判定結果を入力する。入力したクラスタ数が３個以上であればレンジフードファン１の駆動を強とし、クラスタ数が０個であればレンジフードファン１の駆動を停止する。クラスタ数が１個あるいは２個であった場合は、温度閾値との比較結果を参照し、温度閾値８０℃を超えるクラスタが存在する場合、あるいは温度閾値６０℃を超えるクラスタが２個存在する場合は強とする。温度閾値６０℃を超えるクラスタが１個、あるいは４０℃を超えるクラスタが２個存在する場合は中とし、それ以外は弱とする。前述により決定したレンジフードファン１の駆動条件により、レンジフードファン１のモータ１０を駆動するように制御する。
【００６２】
以上のように、本実施の形態１において、レンジフードファン１の下部の加熱調理機器２に対向する面に設置され、加熱調理機器２の複数のバーナの温度、あるいはバーナの上部に設置した調理器具の温度と位置を計測する、複数の素子をアレイ状に複数個配列した熱起電力型温度センサとしての焦電型赤外線センサ３と焦電型赤外線センサ３に対象物から放射する赤外線を集光させる集光手段としてのシリコンレンズ４と、焦電型赤外線センサ３およびシリコンレンズ４を回転走査、及び断続的に赤外線を入射遮断する駆動機構手段としての直流モータ５及び遮断手段としてのシャッター機構６と、シャッター機構６の周辺温度を検知する基準温度検知手段としてのサーミスタ７と、焦電型赤外線センサ３及びサーミスタ７からの信号を増幅、および温度あるいは温度に比例した計測値を演算する信号処理手段８と、信号処理手段８により演算した信号処理結果、すなわち検知領域内の温度分布あるいは温度に比例した計測値分布から加熱調理機器２の状態を判断する調理機器状態判断手段９と、加熱調理機器２の状態判断結果に応じてレンジフードファン１のモータ１０を駆動、停止あるいは回転数を変更させる制御手段１１を備えることで、２次元の温度分布あるいは温度に比例した計測値分布を測定し、測定した分布情報から熱画像処理を行なうことで測定領域における高温領域を切り出すことにより、逐次使用状況が変更するバーナの利用数、加熱調理機器２の状態を的確に検出でき、加熱調理機器２の状態に応じた最適な換気制御を行うことができることとなる。
【００６３】
なお、本実施の形態１では、焦電型赤外線センサ３を８素子としたが、被写体を検出するために必要な分解能があれば、その他の素子数であっても作用効果に差異はない。
【００６４】
また、赤外線を集光させる集光手段としてシリコンレンズ４を用いたが、その他の集光手段（例えばフレネルレンズ等）であっても作用効果に差異はない。
【００６５】
さらに、基準温度検知手段としてサーミスタを用いる構成としたが、その他の基準温度検知手段（例えば熱電対等）であっても作用効果に差異はない。
【００６６】
また、シャッター機構６の駆動と焦電型赤外線センサ３の回転走査は、単一の直流モータ５の回転動力を利用するとしたが、各個別の駆動源としても作用効果に差異はない。
【００６７】
さらに、調理機器状態判断手段９における加熱調理機器２の使用、未使用の判定において、個別の閾値は数式１を使用して補正値を演算する構成としたが、各素子の各方位角における検知領域の面積比からテーブルを作成した閾値により判定しても作用効果に差異はない。
【００６８】
また、制御手段１１では、クラスタの個数、温度閾値との比較結果により条件分岐にてレンジフードファン１のモータ１０の駆動条件を決定したが、テーブルを参照した駆動条件の決定を行なっても作用効果に差異はない。
【００６９】
（実施の形態２）
以下、本発明の実施の形態２の構成について、図６を参照しながら説明する。
【００７０】
なお、実施の形態１と同一のものは同一記号を付し、詳細な説明は省略する。
【００７１】
図６に示すように、レンジフードファン１の下部の加熱調理機器２のバーナＡ、Ｂ、Ｃに対向する面に８個の素子をアレイ状に配列した熱起電力型温度センサとしての焦電型赤外線センサ３と、焦電型赤外線センサ３に赤外線を集光させる集光手段としてのシリコンレンズ４と、焦電型赤外線センサ３とシリコンレンズ４を回転走査、及び断続的に赤外線を入射遮断する駆動機構手段としての直流モータ５及び遮断手段としてのシャッター機構６と、シャッター機構６周辺の温度を検知する基準温度検知手段としてのサーミスタ７と、焦電型赤外線センサ３及びサーミスタ７からの信号を増幅、および温度を演算する信号処理手段８と、信号処理した温度分布から空間フィルタ処理を行なう空間フィルタ処理部１２を備えた加熱調理機器２の状態を判断する調理機器状態判断手段９Ｂと、加熱調理機器２の状態判断結果に応じてレンジフードファン１のモータ１０を駆動、停止、回転数を変更させる第二制御手段１３を備えている。
【００７２】
次に、調理機器状態判断手段９Ｂの判断フローチャートについて、図７を参照しながら説明する。
【００７３】
図に示すように、調理機器状態判断手段９Ｂは、信号処理手段８により演算した被写体の温度分布を入力する。入力した被写体の温度分布と、回転方位に見合った個別の閾値により加熱調理機器２の使用、未使用を判定する。個別の閾値の例としては、加熱調理機器２との垂直角と回転方位角との偏差角θにより式１の補正値Ｇｋを乗じたものを使用する。
【００７４】
（数式１）  Ｇｋ＝（１−ｓｉｎθ）＾２
また、本実施例の場合、被写体の温度分布は、焦電型赤外線センサ３の素子数８個と、回転走査により得られた方位数１６個より１２８個の離散的な温度分布が得られている。このため、加熱調理機器２の使用、未使用を判定する際に、１２８個の温度分布からクラスタリングを行い、加熱調理機器２の熱画像におけるエッジを検出して加熱調理機器２の使用されているバーナ数を判定する。ここで、クラスタリングには空間フィルタ処理部１２により実施する。空間フィルタ処理部１２は、対象温度を８倍したものから隣接する８近傍の温度を差し引くことで判定温度を演算するものとする。判定したクラスタから、最も高い温度を判定する。判定した各クラスタの最高温度から、加熱調理機器２の状態判断温度との比較を行なう。例えば、３段階の温度閾値（４０℃、６０℃、８０℃）との比較を行なう。クラスタの数と比較判定した結果を第二制御手段１３へ出力する。
【００７５】
次に、第二制御手段１３の制御フローチャートについて、図８を参照しながら説明する。
【００７６】
図に示すように、第二制御手段１３は、クラスタ数と比較判定結果を入力する。入力したクラスタ数が３個以上であればレンジフードファン１の駆動を強とし、クラスタ数が０個であればレンジフードファン１の駆動を停止する。クラスタ数が１個あるいは２個であった場合は、温度閾値との比較結果を参照し、温度閾値８０℃を超えるクラスタが存在する場合、あるいは温度閾値６０℃を超えるクラスタが２個存在する場合は強とする。温度閾値６０℃を超えるクラスタが１個、あるいは４０℃を超えるクラスタが２個存在する場合は中とし、それ以外は弱とする。前述により決定したレンジフードファン１の駆動条件により、レンジフードファン１のモータ１０を駆動するように制御する。
【００７７】
以上のように、本実施の形態２において、調理機器状態判断手段９Ｂは、温度分布あるいは温度に比例した計測値分布に対して、空間フィルタ処理部１２を備え、バーナあるいは調理器具の熱源位置あるいは方位を特定し、前記熱源位置あるいは方位に応じてレンジフードファン１に備えたモータ１０を駆動、停止あるいは回転数を変更させる第二制御手段１３を備える構成としたことで、空間フィルタ処理による発熱体とそれ以外の領域の分離を明確にし、３口コンロ、４口コンロ、グリルの有無、設置位置のズレなども検知可能となり、加熱調理機器２との相対位置関係をより正確に判断することができるため、より効果的な運転制御を可能とすることができることとなる。
【００７８】
なお、本実施例では、焦電型赤外線センサ３を８素子としたが、被写体を検出するために必要な分解能があれば、その他の素子数であっても作用効果に差異はない。
【００７９】
また、赤外線を集光させる集光手段としてシリコンレンズ４を用いたが、その他の集光手段（例えばフレネルレンズ等）であっても作用効果に差異はない。
【００８０】
さらに、基準温度検知手段としてサーミスタを用いる構成としたが、その他の基準温度検知手段（例えば熱電対等）であっても作用効果に差異はない。
【００８１】
また、シャッター機構６の駆動と焦電型赤外線センサ３の回転走査は、単一の直流モータ５の回転動力を利用するとしたが、各個別の駆動源としても作用効果に差異はない。
【００８２】
さらに、調理機器状態判断手段９における加熱調理機器２の使用、未使用の判定において、個別の閾値は数式１を使用して補正値を演算する構成としたが、各素子の各方位角における検知領域の面積比からテーブルを作成した閾値により判定しても作用効果に差異はない。
【００８３】
また、制御手段１１では、クラスタの個数、温度閾値との比較結果により条件分岐にてレンジフードファン１のモータ１０の駆動条件を決定したが、テーブルを参照した駆動条件の決定を行なっても作用効果に差異はない。
【００８４】
さらに、空間フィルタは、対象温度を８倍して隣接する８近傍の温度を差し引く構成としたが、その他の重み付け関数を用いる構成としても作用効果に差異はない。
【００８５】
（実施の形態３）
以下、本発明の実施の形態３の構成について、図９を参照しながら説明する。
【００８６】
なお、実施の形態１あるいは２と同一のものは同一記号を付し、詳細な説明は省略する。
【００８７】
図９に示すように、レンジフードファン１の下部の加熱調理機器２のバーナＡ、Ｂ、Ｃに対向する面に８個の素子をアレイ状に配列した熱起電力型温度センサとしての焦電型赤外線センサ３と、焦電型赤外線センサ３に赤外線を集光させる集光手段としてのシリコンレンズ４と、焦電型赤外線センサ３とシリコンレンズ４を回転走査、及び断続的に赤外線を入射遮断する駆動機構手段としての直流モータ５及び遮断手段としてのシャッター機構６と、シャッター機構６周辺の温度を検知する基準温度検知手段としてのサーミスタ７と、焦電型赤外線センサ３及びサーミスタ７からの信号を増幅、および温度を演算する信号処理手段８と、信号処理した温度分布から加熱調理機器２の状態を判断する調理機器状態判断手段９と、調理の進行状況を推定してレンジフードファン１のモータ１０を駆動、停止、回転数を変更させる閾値を変更する閾値更新手段１４と、レンジフードファン１のモータ１０を駆動、停止、回転数を変更させる制御手段１１を備えている。
【００８８】
次に、閾値更新手段１４の更新フローチャートについて、図１０を参照しながら説明する。
【００８９】
図に示すように、閾値更新手段１４は、調理機器状態判断手段９より加熱調理機器２の各バーナＡ、Ｂ、Ｃの利用状況、すなわちクラスタ数と各クラスタの温度閾値との比較結果、および各クラスタを検出した位置を入力する。初期値はクラスタ数をゼロとする。調理機器状態判断手段９から判定した状況が、一時刻前の状況と比較してクラスタ数に変化があれば、調理機器状態判断手段９により判断した結果を採用して補正をゼロとして処理を終了する。クラスタ数に変化がなければ、各クラスタの温度閾値との比較結果を参照し、温度閾値との比較結果にも変化がなければ、補正をゼロとする。閾値の高い方に変化があれば、増加補正カウンタをインクリメントし、増加補正カウンタが増加時の所定数（例えば１分間に相当するカウント数）を超えれば、レンジフードファン１のモータ１０の回転数指令を１ランク上げる処理を行ない、カウント数をゼロにリセットする。また、閾値の低い方に変化があれば、減少補正カウンタをインクリメントし、減少補正カウンタが減少時の所定数（例えば５分間に相当するカウント数）を超えれば、レンジフードファン１のモータ１０の回転数指令を１ランク下げる処理を行ない、カウント数をゼロにリセットする。また、増加補正カウンタをインクリメントした際には、減少補正カウンタはゼロにリセットし、減少補正カウンタをインクリメントした際には、増加補正カウンタをゼロにリセットする。また、クラスタ数がゼロとなった際には、増加補正カウンタ、減少補正カウンタ共にゼロにリセットする。回転数指令を１ランク上げる、あるいは下げる信号は、調理機器状態判断手段９へ出力することとなる。
【００９０】
以上のように、各回転方位における焦電型赤外線センサ３の検知面積領域と隣接する回転方位および隣接する焦電型赤外線センサ３からの温度あるいは温度に比例した時系列の計測値により、調理の進行状況を推定してレンジフードファン１のモータ１０を駆動、停止あるいは回転数を変更する閾値を更新する閾値更新手段１４を備える構成とすることで、時間変化に応じて変化する発熱あるいは調理による発煙の状態を検知することが可能となり、調理過程に応じて最適な運転条件を設定することができ、換気が必要となる時間を推定できることから、より効率的かつ効果的な換気ができることから快適性の向上を図ることができることとなる。
【００９１】
なお、本実施例では、焦電型赤外線センサ３を８素子としたが、被写体を検出するために必要な分解能があれば、その他の素子数であっても作用効果に差異はない。
【００９２】
また、赤外線を集光させる集光手段としてシリコンレンズ４を用いたが、その他の集光手段（例えばフレネルレンズ等）であっても作用効果に差異はない。
【００９３】
さらに、基準温度検知手段としてサーミスタを用いる構成としたが、その他の基準温度検知手段（例えば熱電対等）であっても作用効果に差異はない。
【００９４】
また、シャッター機構６の駆動と焦電型赤外線センサ３の回転走査は、単一の直流モータ５の回転動力を利用するとしたが、各個別の駆動源としても作用効果に差異はない。
【００９５】
さらに、調理機器状態判断手段９における加熱調理機器２の使用、未使用の判定において、個別の閾値は数式１を使用して補正値を演算する構成としたが、各素子の各方位角における検知領域の面積比からテーブルを作成した閾値により判定しても作用効果に差異はない。
【００９６】
また、制御手段１１では、クラスタの個数、温度閾値との比較結果により条件分岐にてレンジフードファン１のモータ１０の駆動条件を決定したが、テーブルを参照した駆動条件の決定を行なっても作用効果に差異はない。
【００９７】
増加あるいは減少の補正カウンタはインクリメントするとしたが、減算カウンタとして所定時間分のカウント数をセットしておき、１ずつ減算してゼロとなった際にモータ１０の回転指令を１ランク変化させて、カウント数を再設定する構成としても、作用効果に差異はない。
【００９８】
（実施の形態４）
以下、本発明の実施の形態４の構成について、図１１を参照しながら説明する。
【００９９】
なお、実施の形態１から３と同一のものは同一記号を付し、詳細な説明は省略する。
【０１００】
図１１に示すように、レンジフードファン１の下部の加熱調理機器２のバーナＡ、Ｂ、Ｃに対向する面に８個の素子をアレイ状に配列した熱起電力型温度センサとしての焦電型赤外線センサ３と、焦電型赤外線センサ３に赤外線を集光させる集光手段としてのシリコンレンズ４と、焦電型赤外線センサ３とシリコンレンズ４を回転走査、及び断続的に赤外線を入射遮断する駆動機構手段としての直流モータ５及び遮断手段としてのシャッター機構６と、シャッター機構６周辺の温度を検知する基準温度検知手段としてのサーミスタ７と、焦電型赤外線センサ３及びサーミスタ７からの信号を増幅、および温度を演算する信号処理手段８と、信号処理した温度分布から加熱調理機器２の状態を判断する調理機器状態判断手段９と、レンジフードファン１のモータ１０を駆動、停止、回転数を変更させる制御手段１１と、焦電側赤外線センサ３とシリコンレンズ４の非回転走査方向の取付角度を任意に変更でき、取付角度の調整に応じてモータ１０を駆動、停止あるいは回転数を変更させる閾値を変更する取付角度調整手段１５を備えている。また、取付角度調整手段１５は、取付角度を設定する取付角度調整用レバー１５ａと、設定した取付角度を認識する角度認識部１５ｂと、認識した取付角度に応じた補正値を演算して調理機器状態判断手段９へ補正値を出力する垂直補正演算部１５ｃを備えている。ここで、取付角度調整用レバー１５ａは、所定段階（例えば５段階の設定角度）で固定できるようになっており、０度、±５度、±１０度に設定できるようになっている。また、角度認識部１５ｂは、各固定された際の接点信号から電気信号を取り出して認識するように構成されている。
【０１０１】
次に、垂直補正演算部１５ｃの演算フローチャートについて図１２を参照しながら説明する。
【０１０２】
図に示すように、垂直補正演算部１５ｃは、角度認識部１５ｂにより検出した角度情報、すなわち０度、あるいは±５度、あるいは±１０度の５つの設定角度の何れかを入力する。入力した設定角度に応じて、焦電型赤外線センサ３の８素子のうち、取付角度を調整した方位に位置する素子については、数式２の補正値（Ｇｋ２（角度））を選択する。取付角度を調整した方位に位置しない素子については、数式３の補正値（Ｇｋ３（角度））を選択する。
【０１０３】
（数式２）  Ｇｋ２（角度）＝（１−ｓｉｎ（角度））＾２
（数式３）  Ｇｋ３（角度）＝（１＋ｓｉｎ（角度））＾２
上記の演算により算出した各焦電型赤外線センサ３の各素子の補正値を、調理機器状態判断手段９へ出力する。
【０１０４】
以上のように、駆動機構手段としての直流モータ５の非回転方向の取付角度を任意に変更でき、取付角度の調整に応じてモータを駆動、停止あるいは回転数を変更させる閾値を変更する取付角度調整手段１５を備えたことで、レンジフードファン１の設置角度に応じて焦電型赤外線センサ３の角度を変更することができ、自動的に加熱調理機器２との相対位置関係に最適な閾値に設定されるため、レンジフードファン１の設置の際に厳密な設置角度設定が不要となり、また、加熱調理機器２との相対位置関係の補正は取付角度を設定することで自動的に内部パラメータが調整されることから、容易に行なうことができ、さらに加熱調理機器２との相対位置関係に最適な閾値とすることで、任意の取付角度に応じた換気制御を可能とすることができることとなる。
【０１０５】
なお、本実施例では、焦電型赤外線センサ３を８素子としたが、被写体を検出するために必要な分解能があれば、その他の素子数であっても作用効果に差異はない。
【０１０６】
また、赤外線を集光させる集光手段としてシリコンレンズ４を用いたが、その他の集光手段（例えばフレネルレンズ等）であっても作用効果に差異はない。
【０１０７】
さらに、基準温度検知手段としてサーミスタを用いる構成としたが、その他の基準温度検知手段（例えば熱電対等）であっても作用効果に差異はない。
【０１０８】
また、シャッター機構６の駆動と焦電型赤外線センサ３の回転走査は、単一の直流モータ５の回転動力を利用するとしたが、各個別の駆動源としても作用効果に差異はない。
【０１０９】
さらに、調理機器状態判断手段９における加熱調理機器２の使用、未使用の判定において、個別の閾値は数式１を使用して補正値を演算する構成としたが、各素子の各方位角における検知領域の面積比からテーブルを作成した閾値により判定しても作用効果に差異はない。
【０１１０】
また、垂直補正演算部１５ｃでは、取付角度の補正値を数式にて演算する構成としたが、テーブル値として記憶させる構成としても作用効果に差異はない。
【０１１１】
（実施の形態５）
以下、本発明の実施の形態５の構成について、図１３を参照しながら説明する。
【０１１２】
なお、実施の形態１から４と同一のものは同一記号を付し、詳細な説明は省略する。
【０１１３】
図１３に示すように、レンジフードファンの下部の加熱調理機器２のバーナＡ、Ｂ、Ｃに対向する面に８個の素子をアレイ状に配列した熱起電力型温度センサとしての焦電型赤外線センサ３と、焦電型赤外線センサ３に赤外線を集光させる集光手段としてのシリコンレンズ４と、焦電型赤外線センサ３とシリコンレンズ４を回転走査、及び断続的に赤外線を入射遮断する駆動機構手段としての直流モータ５及び遮断手段としてのシャッター機構６と、シャッター機構６周辺の温度を検知する基準温度検知手段としてのサーミスタ７と、焦電型赤外線センサ３及びサーミスタ７からの信号を増幅、および温度を演算する信号処理手段８と、信号処理した温度分布から加熱調理機器２の状態を判断する調理機器状態判断手段９と、レンジフードファン１のモータ１０を駆動、停止、回転数を変更させる制御手段１１と、加熱調理機器２のバーナまでの距離を設定する距離設定手段１６を備えている。また、距離設定手段１６は、レンジフードファン１から加熱調理機器２のバーナまでの距離を入力する距離入力スイッチ１６ａと、入力したスイッチの情報を認識するスイッチ認識部１６ｂと、認識したスイッチの情報から補正値を演算して調理機器状態判断手段９へ補正値を出力する距離補正出力部１６ｃを備えている。
【０１１４】
ここで、距離入力スイッチ１６ａでは、例えばディップスイッチ等があり、スイッチ認識部１６ｂではマイクロコンピュータに備えた入力ポート等がある。
【０１１５】
次に、距離補正出力部１６ｃの補正演算フローチャートについて、図１４を参照しながら説明する。
【０１１６】
図に示すように、距離補正出力部１６ｃは、スイッチ認識部１６ｂよりレンジフードファン１から加熱調理機器２のバーナまでの距離情報（例えば、設定１であれば８００ｍｍ、設定２であれば９００ｍｍ、設定３であれば１０００ｍｍ）を入力する。基準距離（例えば８００ｍｍ）と入力した距離情報より数式４の変換式を用いて補正値を演算する。
【０１１７】
（数式４）  Ｇｋ４＝（設定距離／基準距離）＾２
上記の演算により算出した各焦電型赤外線センサ３の各素子の補正値を、調理機器状態判断手段９へ出力し、調理機器状態判断手段９は補正値を乗算した閾値にて加熱調理機器２の利用状況を判断する。
【０１１８】
以上のように、加熱調理機器２のバーナまでの距離を設定する距離設定手段１６を備えることにより、加熱調理機器２と焦電型赤外線センサ３との相対位置関係に起因する検出温度と検出位置の調整ができるため、バーナ上に置かれた調理器具の大きさの予測精度の向上を可能とし、よりきめ細かな換気制御を可能とすることができることとなる。
【０１１９】
なお、本実施例では、焦電型赤外線センサ３を８素子としたが、被写体を検出するために必要な分解能があれば、その他の素子数であっても作用効果に差異はない。
【０１２０】
また、赤外線を集光させる集光手段としてシリコンレンズ４を用いたが、その他の集光手段（例えばフレネルレンズ等）であっても作用効果に差異はない。
【０１２１】
さらに、基準温度検知手段としてサーミスタを用いる構成としたが、その他の基準温度検知手段（例えば熱電対等）であっても作用効果に差異はない。
【０１２２】
また、シャッター機構６の駆動と焦電型赤外線センサ３の回転走査は、単一の直流モータ５の回転動力を利用するとしたが、各個別の駆動源としても作用効果に差異はない。
【０１２３】
さらに、調理機器状態判断手段９における加熱調理機器２の使用、未使用の判定において、個別の閾値は数式１を使用して補正値を演算する構成としたが、各素子の各方位角における検知領域の面積比からテーブルを作成した閾値により判定しても作用効果に差異はない。
【０１２４】
また、距離設定手段１６では、レンジフードファン１から加熱調理機器２のバーナまでの距離を入力する距離入力スイッチ１６ａと、入力したスイッチの情報を認識するスイッチ認識部１６ｂと、認識したスイッチの情報から補正値を演算して調理機器状態判断手段９へ補正値を出力する距離補正出力部１６ｃを備える構成としたが、その他の手段として通信機能を用いて外部から直接信号入力する構成、あるいはボリューム抵抗を付加してリニアな入力にしても作用効果に差異はない。
【産業上の利用可能性】
【０１２５】
本発明のレンジフードファンは、調理の状態に応じて換気動作を自動で制御するものであり、家庭用の用途のほか、食堂やホテルなどの業務用の用途にも適用できる。
【図面の簡単な説明】
【０１２６】
【図１】本発明の実施の形態１におけるレンジフードファンの構成図
【図２】同シャッター機構６の駆動に関する説明図
【図３】同信号処理手段８の構成ブロック図
【図４】同調理機器状態判断手段９の判断フローチャート
【図５】同制御手段１１の制御フローチャート
【図６】本発明の実施の形態２におけるレンジフードファンの構成図
【図７】同調理機器状態判断手段９Ｂの判断フローチャート
【図８】同第二制御手段１３の制御フローチャート
【図９】本発明の実施の形態３におけるレンジフードファンの構成図
【図１０】同閾値更新手段１４の更新フローチャート
【図１１】本発明の実施の形態４におけるレンジフードファンの構成図
【図１２】同垂直補正演算部１５ｃの演算フローチャート
【図１３】本発明の実施の形態５におけるレンジフードファンの構成図
【図１４】同距離補正出力部１６ｃの補正演算フローチャート
【図１５】従来の特許文献１における換気扇の構成図
【図１６】従来の特許文献２における換気装置と電磁誘導加熱調理器の連動方法を示す図
【図１７】従来の特許文献３におけるレンジフードの構成図
【図１８】従来の特許文献４における換気扇の構成図
【符号の説明】
【０１２７】
１      レンジフードファン
２      加熱調理機器
３      焦電型赤外線センサ
４      シリコンレンズ
５      直流モータ
６      シャッター機構
６ａ、６ｂ、６ｃ  ギア
６ｄ    シャッター板
７      サーミスタ
８      信号処理手段
８ａ    ローパスフィルタ部
８ｂ    クランプ回路部
８ｃ    リファレンス抵抗
８ｄ    温度変換部
９      調理機器状態判断手段
９Ｂ    調理機器状態判断手段
１０    モータ
１１    制御手段
１２    空間フィルタ処理部
１３    第二制御手段
１４    閾値更新手段
１５    取付角度調整手段
１５ａ  取付角度調整用レバー
１５ｂ  角度認識部
１５ｃ  垂直補正演算部
１６    距離設定手段
１６ａ  距離入力スイッチ
１６ｂ  スイッチ認識部
１６ｃ  距離補正出力部
１７    換気扇
１８    制御手段
１９    加熱調理器
２０    温度計測装置
２１    電流検出回路
２２    調理器制御回路
２３    送信機
２４    誘導加熱調理器
２５    換気ファン
２６    受信機
２７    換気扇制御回路
２８    換気扇
２９    ガスコンロ
３０ａ、３０ｂ、３０ｃ  センサ
３１    制御回路
３２    レンジフード
３３    換気扇
３４    モータ
３５    ガステーブル
３６    換気扇
３７    コンロ
３８ａ、３８ｂ  温度センサ
３９    グリル
４０    温度センサ
４１    信号ケーブル
４２    マイコン
４３    風量制御切換装置
４４    モータ
【図１】
2009092338.tif 000003
【図２】
2009092338.tif 000004
【図３】
2009092338.tif 000005
【図４】
2009092338.tif 000006
【図５】
2009092338.tif 000007
【図６】
2009092338.tif 000008
【図７】
2009092338.tif 000009
【図８】
2009092338.tif 000010
【図９】
2009092338.tif 000011
【図１０】
2009092338.tif 000012
【図１１】
2009092338.tif 000013
【図１２】
2009092338.tif 000014
【図１３】
2009092338.tif 000015
【図１４】
2009092338.tif 000016
【図１５】
2009092338.tif 000017
【図１６】
2009092338.tif 000018
【図１７】
2009092338.tif 000019
【図１８】
2009092338.tif 000020